【手続補正書】
【提出日】平成18年8月22日(2006.8.22)
【手続補正１】
【補正対象書類名】特許請求の範囲
【補正対象項目名】全文
【補正方法】変更
【補正の内容】
【特許請求の範囲】
【請求項１】
画像供給装置と記録装置とを通信インターフェースを介して直接通信し、前記画像供給装置から前記記録装置に画像データを送信して記録する記録システムであって、
前記記録装置と前記画像供給装置に実装されたアプリケーションによる通信手順の確立後、前記記録装置と前記画像供給装置のいずれか一方へ送信したリクエストに対して、他方が前記リクエストに対する応答以外の情報を送信した場合、前記リクエストを送信した側はその受信したデータを無効にする手段を有し、
リクエストを受信した前記記録装置と前記画像供給装置のいずれか一方は、当該受信した装置の状態に応じて、当該受信したリクエストに対する応答以外のコマンドを送信する送信手段を有することを特徴とする記録システム。
【請求項２】
更に、前記リクエストを受信した前記記録装置と前記画像供給装置のいずれか一方は、自装置の稼動状況に応じて前記コマンドを送信するか否かを判断する判断手段を有することを特徴とする請求項１に記載の記録システム。
【請求項３】
前記コマンドは、前記記録装置或は前記画像供給装置としての動作指示を含まないコマンドであることを特徴とする１又は２に記載の記録システム。
【請求項４】
画像供給装置と通信し、前記画像供給装置から画像データを受信して記録する記録装置であって、
前記記録装置と前記画像供給装置に実装されたアプリケーションによる通信手順の確立後、前記画像供給装置へ送信したリクエストに対して、前記画像供給装置から前記リクエストに対する応答以外の情報を受信した場合、その受信したデータを無効にする手段と、
自装置の状態に応じて、前記画像供給装置から受信したリクエストに対する応答以外のコマンドを送信する送信手段と、
を有することを特徴とする記録装置。
【請求項５】
更に、前記自装置の状態に応じて前記コマンドを送信するか否かを判断する判断手段を有することを特徴とする請求項４に記載の記録装置。
【請求項６】
前記コマンドは、前記画像供給装置としての動作指示を含まないコマンドであることを特徴とする請求項４又は５に記載の記録装置。
【請求項７】
前記画像供給装置から前記リクエストに対する応答以外の情報を受信した場合、前記リクエストを前記画像供給装置に再送する再送手段を更に有することを特徴とする請求項４乃至６のいずれか１項に記載の記録装置。
【請求項８】
記録装置と通信し、前記記録装置へ画像データを送信する画像供給装置であって、
前記記録装置と前記画像供給装置に実装されたアプリケーションによる通信手順の確立後、前記記録装置へ送信したリクエストに対して、前記記録装置から前記リクエストに対する応答以外の情報を受信した場合、その受信したデータを無効にする手段と、
自装置の状態に応じて、前記記録装置から受信したリクエストに対する応答以外のコマンドを送信する送信手段と、
を有することを特徴とする画像供給装置。
【請求項９】
更に、自装置の稼動状況に応じて前記コマンドを送信するか否かを判断する判断手段を有することを特徴とする請求項８に記載の画像供給装置。
【請求項１０】
前記コマンドは、前記記録装置としての動作指示を含まないコマンドであることを特徴とする請求項８又は９に記載の画像供給装置。
【請求項１１】
前記記録装置から前記リクエストに対する応答以外の情報を受信した場合、前記リクエストを前記記録装置に再送する再送手段を更に有することを特徴とする請求項８乃至１０のいずれか１項に記載の画像供給装置。
【請求項１２】
画像供給装置と記録装置とを通信インターフェースを介して直接通信し、前記画像供給装置から前記記録装置に画像データを送信して記録する記録システムにおける通信制御方法であって、
前記記録装置と前記画像供給装置に実装されたアプリケーションによる通信手順の確立後、前記記録装置と前記画像供給装置のいずれか一方へ送信したリクエストに対して、他方が前記リクエストに対する応答以外の情報を送信した場合、前記リクエストを送信した側はその受信したデータを無効にする工程と、
前記リクエストを受信した前記記録装置と前記画像供給装置のいずれか一方は、当該受信した装置の状態に応じて、当該受信したリクエストに対する応答以外のコマンドを送信する送信工程と、
を有することを特徴とする通信制御方法。
【請求項１３】
更に、前記リクエストを受信した前記記録装置と前記画像供給装置のいずれか一方において、自装置の稼動状況に応じて前記コマンドを送信するか否か判断する工程を有することを特徴とする請求項１２に記載の通信制御方法。
【請求項１４】
前記コマンドは、前記記録装置或は前記画像供給装置としての動作指示を含まないコマンドであることを特徴とする１２又は１３に記載の通信制御方法。
【請求項１５】
画像供給装置と通信し、前記画像供給装置から画像データを受信して記録する記録装置における通信制御方法であって、
前記記録装置と前記画像供給装置に実装されたアプリケーションによる通信手順の確立後、前記画像供給装置へ送信したリクエストに対して、前記画像供給装置から前記リクエストに対する応答以外の情報を受信した場合、その受信したデータを無効にする工程と、
自装置の状態に応じて、前記画像供給装置から受信したリクエストに対する応答以外のコマンドを送信する送信工程と、
を有することを特徴とする通信制御方法。
【請求項１６】
前記画像供給装置から前記リクエストに対する応答以外の情報を受信した場合、前記リクエストを前記画像供給装置に再送する再送工程を更に有することを特徴とする請求項１５に記載の通信制御方法。
【請求項１７】
記録装置と通信し、前記記録装置へ画像データを送信する画像供給装置における通信制御方法であって、
前記記録装置と前記画像供給装置に実装されたアプリケーションによる通信手順の確立後、前記記録装置へ送信したリクエストに対して、前記記録装置から前記リクエストに対する応答以外の情報を受信した場合、その受信したデータを無効にする工程と、
自装置の状態に応じて、前記記録装置から受信したリクエストに対する応答以外のコマンドを送信する送信工程と、
を有することを特徴とする通信制御方法。
【請求項１８】
請求項１２乃至１７のいずれか１項に記載の通信制御方法を実行することを特徴とするプログラム。
【手続補正２】
【補正対象書類名】明細書
【補正対象項目名】０００６
【補正方法】変更
【補正の内容】
【０００６】
この際、デジタルカメラが何らかの処理を行っていてバッファに空きがない、或はパーサに空きがない、又はリクエストを受信しても解釈できない等の理由により、そのリクエストに対するレスポンスをプリンタに返すことができない場合が発生する。この場合、プリンタはレスポンスを受信できないため次の処理に進むことができず、リクエストとレスポンスから成り立つ通信形態に不整合を起こし、通信が破綻する等の不具合が生じる可能性がある。
【手続補正３】
【補正対象書類名】明細書
【補正対象項目名】０００８
【補正方法】変更
【補正の内容】
【０００８】
また本発明の目的は、画像供給装置と記録装置とを通信インターフェースを介して直接接続し、画像供給装置から記録装置に画像データを送信して記録する記録システムにおいて、受信したリクエストを無効し、通信の破綻を防止する画像供給装置及び記録装置と、これらを含む記録システムとその通信制御方法を提供することにある。
【手続補正４】
【補正対象書類名】明細書
【補正対象項目名】０００９
【補正方法】変更
【補正の内容】
【０００９】
上記目的を達成するために本発明の記録システムは以下のような構成を備える。即ち、  画像供給装置と記録装置とを通信インターフェースを介して直接通信し、前記画像供給装置から前記記録装置に画像データを送信して記録する記録システムであって、
前記記録装置と前記画像供給装置に実装されたアプリケーションによる通信手順の確立後、前記記録装置と前記画像供給装置のいずれか一方へ送信したリクエストに対して、他方が前記リクエストに対する応答以外の情報を送信した場合、前記リクエストを送信した側はその受信したデータを無効にする手段を有し、
リクエストを受信した前記記録装置と前記画像供給装置のいずれか一方は、当該受信した装置の状態に応じて、当該受信したリクエストに対する応答以外のコマンドを送信する送信手段を有することを特徴とする。
【手続補正５】
【補正対象書類名】明細書
【補正対象項目名】００１０
【補正方法】変更
【補正の内容】
【００１０】
上記目的を達成するために本発明の画像供給装置は以下のような構成を備える。即ち、  記録装置と通信し、前記記録装置へ画像データを送信する画像供給装置であって、
前記記録装置と前記画像供給装置に実装されたアプリケーションによる通信手順の確立後、前記記録装置へ送信したリクエストに対して、前記記録装置から前記リクエストに対する応答以外の情報を受信した場合、その受信したデータを無効にする手段と、
自装置の状態に応じて、前記記録装置から受信したリクエストに対する応答以外のコマンドを送信する送信手段とを有することを特徴とする。
【手続補正６】
【補正対象書類名】明細書
【補正対象項目名】００１１
【補正方法】変更
【補正の内容】
【００１１】
上記目的を達成するために本発明の記録装置は以下のような構成を備える。即ち、
画像供給装置と通信し、前記画像供給装置から画像データを受信して記録する記録装置であって、
前記記録装置と前記画像供給装置に実装されたアプリケーションによる通信手順の確立後、前記画像供給装置へ送信したリクエストに対して、前記画像供給装置から前記リクエストに対する応答以外の情報を受信した場合、その受信したデータを無効にする手段と、
自装置の状態に応じて、前記画像供給装置から受信したリクエストに対する応答以外のコマンドを送信する送信手段とを有することを特徴とする。
【手続補正７】
【補正対象書類名】明細書
【補正対象項目名】００１２
【補正方法】変更
【補正の内容】
【００１２】
上記目的を達成するために本発明の通信制御方法は以下のような工程を備える。即ち、
画像供給装置と記録装置とを通信インターフェースを介して直接通信し、前記画像供給装置から前記記録装置に画像データを送信して記録する記録システムにおける通信制御方法であって、
前記記録装置と前記画像供給装置に実装されたアプリケーションによる通信手順の確立後、前記記録装置と前記画像供給装置のいずれか一方へ送信したリクエストに対して、他方が前記リクエストに対する応答以外の情報を送信した場合、前記リクエストを送信した側はその受信したデータを無効にする工程と、
前記リクエストを受信した前記記録装置と前記画像供給装置のいずれか一方は、当該受信した装置の状態に応じて、当該受信したリクエストに対する応答以外のコマンドを送信する送信工程とを有することを特徴とする。
【手続補正８】
【補正対象書類名】明細書
【補正対象項目名】００１３
【補正方法】変更
【補正の内容】
【００１３】
本発明によれば、画像供給装置と記録装置とを通信インターフェースを介して直接接続し、画像供給装置から記録装置に画像データを送信して記録する記録システムにおいて、受信したリクエストを無効し、通信の破綻を防止できるという効果がある。